(57)【要約】【課題】記録媒体を搬送する複数の搬送ローラにニップ圧やアラメント等の差があることに起因して紙しわが発生してもこの紙しわを累積させない画像形成装置を提供する。【解決手段】副走査ローラ２１、及び排紙ローラ３１のニップ圧やアライメント等の差に起因して、記録紙Ｐｒが搬送されているうちに記録紙Ｐｒには紙しわが発生することがある。発生した紙しわは、従動ローラ４１を開状態で記録紙Ｐｒを搬送させることにより取り除かれる。紙しわを取り除いた後、リリースモータ４６が回転し初期状態に戻り、記録紙Ｐｒは印字開始位置まで搬送されて停止し、次の印字開始まで待ち状態で待機している。【選択図】      図２
2005001293.tif 000002
【特許請求の範囲】
【請求項１】
記録媒体に画像を形成する画像形成手段と、所定の記録媒体搬送方向に搬送されてくる記録媒体を前記画像形成手段に対向する位置で支持するプラテンと、該プラテンよりも前記記録媒体搬送方向上流側に配置された、記録媒体を挟持しながら搬送する第１搬送手段と、前記プラテンよりも前記記録媒体搬送方向下流側に配置された、記録媒体を挟持しながら搬送する第２搬送手段と、前記第１搬送手段よりも前記記録媒体搬送方向上流側に配置された、前記第１搬送手段へ記録媒体を挟持しながら搬送する第３搬送手段とを備え、記録媒体に画像を形成する画像形成装置において、
前記第１搬送手段は、
駆動回転する第１駆動ローラと、
該第１駆動ローラに押圧されてこの第１駆動ローラに従動回転する、該第１駆動ローラに自在に接離する第１従動ローラとを有するものであり、且つ、前記画像形成手段によって記録媒体に画像を形成しているときには記録媒体を挟持しているものであり、
該第１従動ローラを前記第１駆動ローラから離した状態で、前記第２搬送手段と前記第３搬送手段とによって前記記録媒体搬送方向に記録媒体を搬送することを特徴とする画像形成装置。
【請求項２】
前記第２搬送手段は、
駆動回転する第２駆動ローラと、
該第２駆動ローラに押圧されてこの第２駆動ローラに従動回転する拍車とを有するものであり、
前記第３搬送手段は、
前記第１駆動ローラに押圧されてこの第１駆動ローラに従動回転する第３従動ローラとを有するものであることを特徴とする請求項１に記載の画像形成装置。
【請求項３】
前記第１搬送手段が記録媒体を挟持する挟持力は、前記第２搬送手段及び前記第３搬送手段が記録媒体を挟持する挟持力よりも大きいことを特徴とする請求項１又は２に記載の画像形成装置。
【発明の詳細な説明】
【０００１】
【発明の属する技術分野】
本発明は、例えばロール状の記録媒体に画像を形成する画像形成装置に関する。
【０００２】
【従来の技術】
従来、コンピュータ等と併用されるプリンタ、プロッタ、あるいは単独で使用される複写機等の画像形成装置が広く使用されている。この画像形成装置には、記録紙や記録フィルムなどの記録媒体を搬送させながらこの記録媒体に画像を形成するタイプのものがある。図６を参照して、従来の画像形成装置の一例を説明する。図６は、従来の画像形成装置の一例を示す模式図である。
【０００３】
画像形成装置１は、ロール状の記録紙Ｐｒを回転自在に保持し、且つ、給紙するためのロール紙ホルダ１００と、送り出された記録紙Ｐｒを保持しながらこの記録紙Ｐｒに画像を形成する画像形成部１１０と、画像が形成された記録紙Ｐｒを排出させる排紙部１２０とを有する。ロール紙ホルダ１００は、記録紙Ｐｒを画像形成部１１０へ搬送するためのロール紙給紙ローラ１０１やロール紙従動ローラ１０２などで構成されている。画像形成部１１０は、記録紙Ｐｒを所定量だけ搬送するための副走査ローラ１１１、この副走査ローラ１１１に従動回転する従動ローラ１１２、記録紙Ｐｒを平面状に保持するためのプラテン１１３、及び記録紙Ｐｒにインクを吐出する印字ヘッド１１４などから構成される。
【０００４】
排紙部１２０は、排紙ローラ１２１とこれに従動回転する複数個の拍車１２２などから構成されている。拍車１２２による記録紙Ｐｒの搬送速度は、副走査ローラ１１１による記録紙Ｐｒの搬送速度よりも数％速く設定されている。これにより、搬送中の記録紙Ｐｒには所定の張力が生じ、プラテン１１３上で記録紙Ｐｒが弛まないように構成されている。
【０００５】
記録紙Ｐｒを給紙中は、記録紙Ｐｒはロール紙ホルダ１００からガイドに案内されながら各給紙ローラによって画像形成部１１０まで搬送されて所定位置で停止した状態で、記録紙Ｐｒに画像が形成され始める。なお、比較的大型のサイズの記録媒体、例えばＪＩＳ規格のＡ１判やＢ１判の幅を有するロール紙（印刷用紙）に印刷できる大型のプリンタには、図６に示すように、印刷が完了した（画像が形成された）ロール紙を、プリンタ本体の下方に配置された巻取装置１３０により巻き取られるように構成されたタイプがある。
【０００６】
【発明が解決しようとする課題】
上述したように、ロール紙はロール紙ホルダ１００からガイドに案内されながら各給紙ローラ（ロール紙給紙ローラ１０１や副走査ローラ１１１など）によって画像形成部１１０まで搬送され、所定位置で停止した後、ロール紙に画像が形成され始める。画像が形成され終わったロール紙は、プリンタ本体の下方に配置された巻取装置１３０によって所定の長さ（例えば、ロール紙が無くなるまで）だけカットされずに巻き取られる。この場合、ロール紙をカットせずに連続して印字が行われるに伴って、各ローラ（副走査ローラ１１１、排紙ローラ１２１）のニップ圧やアラメント等の差に起因して、搬送方向が微妙に異なることがある。この結果、各ローラの間に紙しわが発生して累積し、印字領域となる副走査ローラ１１１と排紙ローラ１２１との間にも紙しわが生じてロール紙の一部がプラテン１１３から浮いてしまうことがある。
【０００７】
ロール紙は所定の張力でプラテン１１３に密着するように構成されているものの、サイズの大きいロール紙や剛性の低い薄いロール紙などに画像を形成する場合、ロール紙がプラテン１１３から浮くことがある。このようにロール紙がプラテン１１３から浮いた場合、ロール紙が印字ヘッド１１４に接触して画像品位を著しく低下させるおそれがある。特に、ロール紙などの記録紙Ｐｒにインクを吐出して画像を形成するインクジェット方式の印字ヘッドの場合、記録紙Ｐｒのうち画像の形成された部分がインクを吸収することによって波打ち（コックリング）が発生することがある。このコックリングは紙しわの発生を助長して記録紙Ｐｒと印字ヘッド１１４とが接触するおそれが高まる。このように記録紙Ｐｒと印字ヘッド１１４とが接触することを回避するために、印字ヘッド１１４と記録紙Ｐｒの間隔を広げた場合、インクの着弾精度が低下して記録精度を低下させてしまう。
【０００８】
また、巻取装置１３０を使用せずにロール紙を所定長さで切断する場合、副走査ローラ１１１と従動ローラ１１２にロール紙を挟持した（ニップした）状態からロール紙ホルダ１００に戻らずに印字が開始されることがある。このような場合、印字領域である副走査ローラ１１１と排紙ローラ１２１との間で紙しわ（プラテンからの浮き）が発生して累積することがある。この結果、上記と同様に、ロール紙が印字ヘッド１１４に接触して画像品位を著しく低下させるおそれがある。
【０００９】
本発明は、上記事情に鑑み、記録媒体を搬送する複数のローラにニップ圧やアラメント等の差があることに起因して紙しわが発生してもこの紙しわを累積させない画像形成装置を提供することを目的とする。
【００１０】
【課題を解決するための手段】
上記目的を達成するための本発明の画像形成装置は、記録媒体に画像を形成する画像形成手段と、所定の記録媒体搬送方向に搬送されてくる記録媒体を前記画像形成手段に対向する位置で支持するプラテンと、該プラテンよりも前記記録媒体搬送方向上流側に配置された、記録媒体を挟持しながら搬送する第１搬送手段と、前記プラテンよりも前記記録媒体搬送方向下流側に配置された、記録媒体を挟持しながら搬送する第２搬送手段と、前記第１搬送手段よりも前記記録媒体搬送方向上流側に配置された、前記第１搬送手段へ記録媒体を挟持しながら搬送する第３搬送手段とを備え、記録媒体に画像を形成する画像形成装置において、
（１）前記第１搬送手段は、
（１―１）駆動回転する第１駆動ローラと、
（１−２）該第１駆動ローラに押圧されてこの第１駆動ローラに従動回転する、該第１駆動ローラに自在に接離する第１従動ローラとを有するものであり、且つ、（１―３）前記画像形成手段によって記録媒体に画像を形成しているときには記録媒体を挟持しているものであり、
（１―４）  該第１従動ローラを前記第１駆動ローラから離した状態で、前記第２搬送手段と前記第３搬送手段とによって前記記録媒体搬送方向に記録媒体を搬送することを特徴とするものである。
【００１１】
ここで、
（２）前記第２搬送手段は、
（２―１）駆動回転する第２駆動ローラと、
（２―２）該第２駆動ローラに押圧されてこの第２駆動ローラに従動回転する拍車とを有するものであり、
（３）前記第３搬送手段は、
（３―１）前記第１駆動ローラに押圧されてこの第１駆動ローラに従動回転する第３従動ローラとを有するものであってもよい。
【００１２】
また、
（４）前記第１搬送手段が記録媒体を挟持する挟持力は、前記第２搬送手段及び前記第３搬送手段が記録媒体を挟持する挟持力よりも大きくてもよい。
【００１３】
【発明の実施の形態】
図面を参照して本発明の実施形態を説明する。
【００１４】
本発明の画像形成装置における記録方式はインクジェット方式、感熱方式、あるいは静電方式などいかなるものであってもよい。また、記録紙などの記録媒体の搬送方向に交差する方向に往復走査するキャリッジに印字ヘッドが搭載されて記録紙上を往復走査すると共に、記録媒体の間欠送りを繰り返しながら画像形成する（記録する）タイプの画像形成装置であっても、印字ヘッドの記録幅が記録媒体の幅に相当して印字ヘッドが固定された状態で記録媒体の連続搬送によって記録されるタイプの画像形成装置であってもよい。ここでは、図１から図３を参照して、記録方式として印字ヘッドが往復動すると共にこの往復動に同期して記録紙が規定量だけ間欠送りされる構成のインクジェット方式画像形成装置を例に挙げて説明する。
【００１５】
図１は、本実施形態の画像形成装置の一例を示す斜視外観図である。図２は、図１に示した画像形成装置の一部を示す側面図である。図３は、図１に示した画像形成装置の画像形成部の構成を示す斜視透視図である。
【００１６】
画像形成装置２は、ロール状の記録紙Ｐｒを回転自在に保持して給紙するロール紙ホルダ１０と、ロール紙ホルダ１０から送り出された記録紙Ｐｒを保持しながら画像形成を行う画像形成部２０と、画像が形成された後の記録紙Ｐｒを機外に排出する排紙部３０とを有する。
【００１７】
ロール紙ホルダ１０は、記録紙Ｐｒを回転自在に保持するためのスプール１１、記録紙Ｐｒを給紙搬送するためのロール給紙ローラ１２、複数個の従動ローラ１３などから構成されている。ロール紙ホルダ１０は、記録紙Ｐｒを容易に交換するために、スライドレール１５Ｌ，１５Ｒによって装置本体から引き出せるように支持されている。ロール給紙ローラ１２の一端にローラギア１４が固定されており、装置内部にあるロール駆動ユニット１６の各駆動ギアと噛み合うようになっている。
【００１８】
画像形成部２０は、記録紙Ｐｒに画像を形成する際に記録紙Ｐｒを所定量搬送するための副走査ローラ２１（本実施形態の画像形成装置においては、記録中の記録紙搬送を副走査という）と、後述する従動部４０と、記録紙Ｐｒを平面状に保持するためのプラテン２２と、印字ヘッド２３を搭載してプラテン２２に対向する位置で往復走査されるキャリッジ２３ａなどを有する。
【００１９】
印字ヘッド２３は、複数の電気熱変換体等の吐出エネルギ発生素子を配列した素子基板と、複数の微細な吐出口及びこれら複数の吐出口に連通した複数の液流路溝が形成された溝付き天板とを有し、各吐出エネルギ発生素子と各液流路溝とを正確に位置合わせした状態で素子基板と溝付き天板とを組み合わせ接合して製作されている。各吐出エネルギ発生素子に電気エネルギを入力することにより、外部から供給されてこれら各吐出エネルギ発生素子に接するインクに急峻な体積変化（気泡の発生）を伴う状態変化を生じさせ、このインクの状態変化に基づく作用力によって吐出口からインクを吐出させる。この吐出されたインクは記録紙Ｐｒ上に付着されて画像が形成される。
【００２０】
また、印字ヘッド２３はキャリッジ２３ａに搭載されて、紙搬送方向（矢印Ｂ方向）に直交する走査方向（矢印Ａ方向）に往復走査する（このような往復走査を主走査という）。印字ヘッド２３は主走査しながら、その動作周期に応じて生成された画像データに基づくヘッド駆動信号によりインク滴を記録紙Ｐｒに向かって吐出口から吐出し、画像を形成していく。副走査ローラ２１は印字ヘッド２３の各走査間（走査が中断中）に記録紙Ｐｒを所定量搬送する。この所定量の搬送精度が画像品位に大きく関与するので、副走査ローラ２１の外径や振れなどは高精度に仕上げられている。さらに、副走査ローラ２１の外周面（記録紙Ｐｒに接触する面）の摩擦係数はサンドブラスト加工などによって高められており、記録紙Ｐｒのスリップが極力防止されるようになっている。副走査ローラ２１は、副走査モータ６０によって駆動される。また、副走査ローラ２１は、後述する排紙ローラ３１やロール給紙ローラ１２に駆動を伝達している。
【００２１】
排紙部３０は、排紙ローラ３１、排紙ローラ３１に従動回転する複数の拍車３２、拍車３２を保持する拍車ステイ３３、記録紙Ｐｒを所定の長さにカットするカッタ３５、及び排紙センサ３６などから構成されている。各拍車３２は、排紙ローラ３１に所定の圧力で押圧されており、且つ、排紙ローラ３１から自在に接離するように構成されている。
【００２２】
排紙ローラ３１と拍車３２は、プラテン２２よりも記録紙Ｐｒの搬送方向下流側に配置されている。排紙ローラ３１と各拍車３２とで記録紙Ｐｒを挟持しながら搬送することにより装置外に記録紙Ｐｒを排出する。排紙ローラ３１と拍車３２が、本発明にいう第２搬送手段の一例である。
【００２３】
排紙ローラ３１による記録紙Ｐｒの搬送速度は、副走査ローラ２１による搬送速度よりも数％速く設定されている。このため、プラテン２２上において記録紙Ｐｒが弛まない。また、排紙ローラ３１の搬送力を副走査ローラ２１の搬送力よりも小さくして、記録紙Ｐｒを常に排紙ローラ３１側でスリップさせている。
【００２４】
従動部４０について説明する。
【００２５】
従動部４０は、副走査ローラ２１に従動回転する複数の従動ローラ４１と、従動ローラ４１を回転自在に保持する加圧アーム４２とを有する。加圧アーム４２は、従動ローラ４１の長手方向に固定されている。各従動ローラ４１は副走査ローラ２１に所定の圧力で押圧されており、副走査ローラ２１に自在に接離できるように構成されている。副走査ローラ２１と複数の従動ローラ４１が、本発明にいう第１搬送手段の一例である。
【００２６】
副走査ローラ２１と各従動ローラ４１とは、プラテン２２よりも記録紙Ｐｒの搬送方向上流側に配置されている。副走査ローラ２１と各従動ローラ４１とで記録紙Ｐｒを挟持しながらプラテン２２に向けて搬送する。
【００２７】
加圧アーム４２は支持軸４３を中心に回転自在に設けられている。加圧アーム４２は副走査方向に延びており、加圧アーム４２の長手方向後端部４２ａに取り付けられた加圧ばね４４によって従動ローラ４１に所定の加圧力を与えている。また、加圧アーム４２の長手方向後端部４２ａの上方に位置するリリースカム４５は、制御器（図示せず）からの所定の信号を受けて回転するリリースモータ４６によって回転駆動される回転軸４６ａに取り付けられている。この回転位置はリリースカム４５と同軸上にあるリリースセンサ４７に基づく。このリリースカム４５の制御については後述する。
【００２８】
複数の搬送コロ２７は、従動ローラ４１よりも搬送方向上流側に位置している。また、複数の搬送コロ２７は副走査ローラ２１に当接していると共に、記録紙Ｐｒの搬送方向に直交する主走査方向に並んで配置されている。複数の搬送コロ２７が並んでいる範囲は、記録紙Ｐｒの幅よりも広い範囲である。各搬送コロ２７は画像形成部２０に回転自在に保持されている。複数の搬送コロ２７と副走査ローラ２１が本発明にいう第３搬送手段の一例である。
【００２９】
ここで、第１〜３搬送手段のうち、記録媒体を挟持する力（記録媒体への当接力）は、第１搬送手段が１番強い。これは、画像形成時に記録媒体を確実に固定する必要があるからである。
【００３０】
図４と図５を参照して従動ローラ４１の動作を説明する。
【００３１】
図４は、従動部の閉状態（初期状態）を示す側面図である。図５は、従動部の開状態を示す側面図である。
【００３２】
画像形成装置２の初期状態では、図４に示すように、従動ローラ４１は副走査ローラ２１に当接している。この状態を閉状態という。閉状態ではリリースモータ４６の回転によって、図４に示すようにリリースカム４５が加圧アーム４２の長手方向後端部４２ａを押し下げない回転位置にある。このため、加圧ばね４４が加圧アーム４２の長手方向後端部４２ａを上方に引き上げることにより加圧アーム４２が支持軸４３を中心として時計方向（矢印Ｃ方向）に回転しようとする。これにより、加圧アーム４２の長手方向先端部４２ｂに配置された従動ローラ４１は副走査ローラ２１に押し付けられる。
【００３３】
図５に示す開状態では、従動ローラ４１は副走査ローラ２１から離れている。この開状態では、リリースモータ４６の回転によってリリースカム４５が加圧アーム４２の長手方向後端部４２ａを押し下げる回転位置にあり、加圧アーム４２を支持軸４３を中心として反時計方向（矢印Ｃ方向とは反対の方向）に回転させようとする。これにより、加圧アーム４２の長手方向先端部４２ｂ側の従動ローラ４１は副走査ローラ２１から引き離される。
【００３４】
巻取装置を装着した場合の給紙開始から印字終了までの動作について説明する。
【００３５】
記録媒体が挿入されたときは、この挿入によって紙センサ２６（図２参照）がＯＮされる。これによりリリースモータ４６が回転して、図４に示す初期状態（従動ローラ４１が副走査ローラ２１に当接した状態）から図５に示す開状態（従動ローラ４１が副走査ローラ２１から離れた状態）に移行し、この開状態が保たれる（保持される）。この移行とほぼ同時にロール給紙ローラ１２、副走査ローラ２１、排紙ローラ３１が回転し始める。この回転によって、ロール状の記録紙Ｐｒはロール紙ホルダ１０からガイドに案内されながら画像形成部２０、排紙部３０に搬送される。この搬送中に記録紙Ｐｒの先端部が排紙センサ３６（図２参照）をＯＮし、このときの記録紙Ｐｒの位置が検出される。記録紙Ｐｒの先端部が所定位置まで搬送された後、リリースモータ４６が再度回転し初期状態（図４に示す従動ローラ４１が副走査ローラ２１に当接した状態）に戻る。
【００３６】
その後、記録紙Ｐｒは巻取装置（図２参照）に装着可能な位置まで送り出されて停止し、記録紙Ｐｒが巻取装置に装着される。その後に、画像が形成され始めて（記録が開始されて）、キャリッジ２３ａに搭載されている印字ヘッド２３が主走査方向（矢印Ａ方向）に往復走査されながら、その動作周期に応じて生成された画像データに基づくヘッド駆動信号によってインク滴を記録紙Ｐｒに向かって吐出口から吐出して画像を形成していく。上記の画像データが終了した時点でリリースモータ４６が再び回転して初期状態から開状態（従動ローラ４１が副走査ローラ２１から離れた状態）に移行して開状態が保持される（保たれる）。この開状態で記録紙Ｐｒが所定量搬送されて停止する。
【００３７】
ロール給紙ローラ１２、副走査ローラ２１、及び排紙ローラ３１のニップ圧やアライメント等の差に起因して、上記のようにして記録紙Ｐｒが搬送されているうちに記録紙Ｐｒには紙しわが発生することがある。ここでは、搬送コロ２７と従動ローラ４１との間、及び従動ローラ４１と排紙ローラ３１との間に発生した紙しわは、従動ローラ４１を開状態で記録紙Ｐｒを搬送させることにより取り除かれる。紙しわを取り除いた後、リリースモータ４６が回転し初期状態に戻り、記録紙Ｐｒは印字開始位置まで搬送（戻り動作）されて停止し、次の印字開始まで待ち状態で待機している。このようにして紙しわを印字毎に取り除くので、紙しわが累積することなく連続して印字でき、高品位な画像を形成できる。
【００３８】
巻取装置を使用せずに印字ごとにカットを行う場合における給紙開始から印字終了まで動作について説明する。
【００３９】
記録媒体が挿入された場合、この挿入によって紙センサー２６がＯＮされる。これにより、リリースモータ４６が回転して初期状態（従動ローラ４１が副走査ローラ２１に当接した状態）から図５に示す開状態（従動ローラ４１が副走査ローラ２１から離れた状態）に移行して、開状態が保持される。この移行とほぼ同時にロール給紙ローラ１２、副走査ローラ２１、排紙ローラ３１が回転し始め、記録紙Ｐｒがロール紙ホルダ１０よりガイドに案内されながら画像形成部２０、排紙部３０に搬送される。この搬送中に記録紙Ｐｒの先端部が排紙センサ３６（図２参照）をＯＮし、このときの記録紙Ｐｒの位置が検出される。記録紙Ｐｒの先端部が所定位置まで搬送された後、リリースモータ４６が再度回転し初期状態（図４に示す従動ローラ４１が副走査ローラ２１に当接した状態）に戻る。
【００４０】
その後、記録紙Ｐｒは印字開始位置まで搬送（戻り動作）されて停止し、記録紙Ｐｒに画像が形成され始める（記録が開始される）。このときキャリッジ２３ａに搭載されている印字ヘッド２３が主走査方向（矢印Ａ方向）に往復走査されながら、その動作周期に応じて生成された画像データに基づくヘッド駆動信号によってインク滴を記録紙Ｐｒに向かって吐出口から吐出して画像を形成していく。上記の画像データが終了した時点で再びリリースモータ４６が回転し初期状態から図５に示す開状態（従動ローラ４１が副走査ローラ２１から離れた状態）に移行して開状態が保持される（保たれる）。この開状態で記録紙Ｐｒが所定量搬送されて停止する。その後、リリースモータ４６が回転して初期状態に戻り、記録紙Ｐｒを所定の長さにカットする位置まで記録紙Ｐｒが搬送（戻り動作）されて停止後、カッタ３５によって所定長さにカットされて排出される。その後、記録紙Ｐｒは次の印字開始まで待ち状態で待機している。
【００４１】
搬送コロ２７、副走査ローラ２１、従動ローラ４１及び排紙ローラ３１のニップ圧やアライメント等の差に起因して、上記のようにして記録紙Ｐｒが搬送されているうちに記録紙Ｐｒには紙しわが発生することがある。ここでは、搬送コロ２７と従動ローラ４１との間、及び従動ローラ４１と排紙ローラ３１との間に発生した紙しわは、従動ローラ４１を開状態で記録紙Ｐｒを搬送させることにより取り除かれる。このようにして紙しわを印字毎に取り除くので、紙しわが累積することなく連続して印字でき、高品位な画像を形成できる。
【００４２】
【発明の効果】
以上説明したように本発明の画像形成装置では、第１従動ローラを第１駆動ローラから離した状態で第２搬送手段と第３搬送手段とによって記録媒体搬送方向に記録媒体を搬送するので、搬送中の記録媒体は第１搬送手段には挟持されていないこととなる。このため、第１搬送手段、第２搬送手段、及び第３搬送手段のニップ圧、アラメント等に差があることに起因して記録媒体にしわが発生しても、搬送中の記録媒体は第１搬送手段には挟持されずに搬送されるので、このしわは解消されて累積しない。この結果、しわの無い記録媒体に画像が形成されて高品位な画像が得られる。
【００４３】
ここで、前記第１搬送手段は、前記画像形成手段によって記録媒体に画像を形成しているときには記録媒体を挟持しているものである場合は、記録媒体が第１搬送手段によって挟持された状態で画像が形成されるので、記録媒体がいっそう確実に固定されることとなっていっそう高品位な画像が得られる。
【００４４】
また、前記第２搬送手段は、駆動回転する第２駆動ローラと、該第２駆動ローラに押圧されてこの第２駆動ローラに従動回転する拍車とを有するものである場合は、簡易な構成の第２搬送手段が得られる。
【００４５】
さらに、前記第３搬送手段は、駆動回転する第３駆動ローラと、該第３駆動ローラに押圧されてこの第３駆動ローラに従動回転する第３従動ローラとを有するものである場合は、簡易な構成の第３搬送手段が得られる。
【００４６】
さらにまた、前記第１搬送手段は、前記第２搬送手段よりも遅い速度で記録媒体を搬送するものである場合は、記録媒体搬送方向下流側に位置する第２搬送手段が、記録媒体搬送方向上流側に位置する第１搬送手段よりも速い速度で記録媒体を搬送するので、記録媒体は引っ張られながら搬送されることとなって、しわが発生しにくい。
【図面の簡単な説明】
【図１】本実施形態の画像形成装置の一例を示す斜視外観図である。
【図２】図１に示した画像形成装置の一部を示す側面図である。
【図３】図１に示した画像形成装置の画像形成部の構成を示す斜視透視図である。
【図４】従動部の閉状態（初期状態）を示す側面図である。
【図５】従動部の開状態を示す側面図である。
【図６】従来の画像形成装置の一例を示す模式図である。
【符号の説明】
２  画像形成装置
１２  ロール給紙ローラ
１３  従動ローラ
２１  副走査ローラ
２２  プラテン
２３  印字ヘッド
３１  排紙ローラ
３２  拍車
４１  従動ローラ
【図１】
2005001293.tif 000003
【図２】
2005001293.tif 000004
【図３】
2005001293.tif 000005
【図４】
2005001293.tif 000006
【図５】
2005001293.tif 000007
【図６】
2005001293.tif 000008